(57)【要約】【課題】吹抜け空間の開放感および意匠性を向上させることができる吹抜け補強構造を提供すること。【解決手段】補強部材３０，４０が吹抜け空間５の端部に設置され、補強部材３０，４０の一側端縁が吹抜け用下階建物ユニット１０Ｂの第２上梁１２Ｂに沿って配置されているので、中央に障害物がなく連続した広い吹抜け空間５を形成することができ、吹抜け空間５の開放感および意匠性を向上させることができる。さらに、補強部材３０，４０が略水平面内に延びる板状部を有して形成されているので、水平面内での高い剛性により建物ユニットを補強することができ、吹抜け空間５における天井や床が省略されていても、ユニット式建物全体の剛性や強度を確保することができる。【選択図】図３
2007308957.tif 000002
【特許請求の範囲】
【請求項１】
四隅の柱、上梁および下梁から略直方体状に形成された骨組みを有する建物ユニットを複数配置して構成されるユニット式建物における吹抜け補強構造であって、
上下に重ねて配置される下階建物ユニットと上階建物ユニットとで形成される吹抜け部に配置されるとともに、略水平面内に延びる板状部を有して形成された補強部材を備え、
前記補強部材は、
前記下階建物ユニットの互いに対向する第１上梁に当該補強部材の両端部が結合されるとともに、前記第１上梁と交差する一方の第２上梁に沿って当該補強部材の一側端縁が配置されるか、または、
前記上階建物ユニットの互いに対向する第１下梁に当該補強部材の両端部が結合されるとともに、前記第１下梁と交差する一方の第２下梁に沿って当該補強部材の一側端縁が配置されることを特徴とする吹抜け補強構造。
【請求項２】
四隅の柱、上梁および下梁から略直方体状に形成された骨組みを有する建物ユニットを複数配置して構成されるユニット式建物における吹抜け補強構造であって、
互いに隣接配置されるとともに隣接部の上梁が省略された一対の下階建物ユニットと、これらの各下階建物ユニットの上側に配置されるとともに隣接部の下梁が省略された一対の上階建物ユニットとで形成される吹抜け部に配置される補強部材を備え、
前記補強部材は、略水平面内に延びる板状部を有して形成され、
前記一対の下階建物ユニットにおける前記省略された上梁と対向する第１上梁に当該補強部材の両端部が結合されるとともに、前記省略された上梁と交差する一方の第２上梁に沿って当該補強部材の一側端縁が配置されるか、または、
前記一対の上階建物ユニットにおける前記省略された下梁と対向する第１下梁に当該補強部材の両端部が結合されるとともに、前記省略された下梁と交差する一方の第２下梁に沿って当該補強部材の一側端縁が配置されることを特徴とする吹抜け補強構造。
【請求項３】
請求項１または請求項２に記載された吹抜け補強構造において、
前記補強部材は、前記第２上梁または前記第２下梁に沿った端縁と反対側の前記板状部の端縁に略鉛直に折れ曲がった補強片を有して形成されていることを特徴とする吹抜け補強構造。
【請求項４】
請求項１から請求項３のいずれかに記載された吹抜け補強構造において、
前記補強部材は、前記第２上梁または前記第２下梁に沿った端縁の側に前記柱と接合する接合片を有して形成されていることを特徴とする吹抜け補強構造。
【請求項５】
請求項１から請求項４のいずれかに記載された吹抜け補強構造において、
前記補強部材は、前記第２上梁または前記第２下梁に沿った側の前記板状部の端縁に略鉛直に折れ曲がった第２補強片を有して形成され、
前記第２補強片は、前記第２上梁と、この第２上梁側に隣接して配置される下階建物ユニットの上梁とで挟持されるか、または、前記第２下梁と、この第２下梁側に隣接して配置される上階建物ユニットの下梁とで挟持されていることを特徴とする吹抜け補強構造。
【請求項６】
請求項１から請求項５のいずれかに記載された吹抜け補強構造において、
前記補強部材の板状部は、前記下階ユニットの上梁と前記上階ユニットの下梁とで挟持されていることを特徴とする吹抜け補強構造。
【請求項７】
請求項１から請求項６のいずれかに記載された吹抜け補強構造において、
前記補強部材は、前記下階建物ユニットの上方から前記第２上梁に当該補強部材の一側端縁を沿わせて配置されるとともに、前記第１上梁に当該補強部材の両端部が結合されることを特徴とする吹抜け補強構造。
【発明の詳細な説明】
【技術分野】
【０００１】
本発明は、略直方体状に形成された骨組みを有する建物ユニットを複数配置して構成されるユニット式建物における吹抜け補強構造に関する。
【背景技術】
【０００２】
箱形の建物ユニットを左右に並べるとともに上下に積み重ねて施工されるユニット式建物において、下階建物ユニットの天井および上階建物ユニットの床を省略して上下階を連通した吹抜け空間を有したものが知られている（例えば、特許文献１）。
このユニット式建物では、下階建物ユニットの対向する上梁間に補強梁が架設されるとともに、上階ユニットの対向する下梁間にも補強梁が架設され、これらの吹抜け空間を横断する上下二段の補強梁は、その周囲が化粧板で被覆されて構造材としての補強梁が室内空間に露出しないように構成されている。
【０００３】
【特許文献１】特公平６−４９７６号公報
【発明の開示】
【発明が解決しようとする課題】
【０００４】
しかしながら、特許文献１で示される従来例では、補強梁が吹抜け空間の略中心部分を横断して架設されているため、吹抜け空間の開放感が劣ってしまうとともに、化粧板で被覆したとしても補強梁が目立つために意匠性が低下してしまうという問題がある。
【０００５】
本発明の目的は、吹抜け空間の開放感および意匠性を向上させることができる吹抜け補強構造を提供することにある。
【課題を解決するための手段】
【０００６】
この目的を達成するために本発明の吹抜け補強構造は、以下の構成を備える。
すなわち、図面も参照して説明すると、本発明の吹抜け補強構造は、四隅の柱１１，２１、上梁１２，２２および下梁１３，２３から略直方体状に形成された骨組み１４，２４を有する建物ユニット１０，２０を複数配置して構成されるユニット式建物１における吹抜け補強構造であって、上下に重ねて配置される下階建物ユニット１０と上階建物ユニット２０とで形成される吹抜け部５に配置されるとともに、略水平面内に延びる板状部３１，４１を有して形成された補強部材３０，４０を備え、前記補強部材は、前記下階建物ユニットの互いに対向する第１上梁１２Ａに当該補強部材の両端部が結合されるとともに、前記第１上梁と交差する一方の第２上梁１２Ｂに沿って当該補強部材の一側端縁が配置されるか、または、前記上階建物ユニットの互いに対向する第１下梁２３に当該補強部材の両端部が結合されるとともに、前記第１下梁と交差する一方の第２下梁２３に沿って当該補強部材の一側端縁が配置されることを特徴とする。
【０００７】
また、本発明の吹抜け補強構造は、四隅の柱１１，２１、上梁１２，２２および下梁１３，２３から略直方体状に形成された骨組み１４，２４を有する建物ユニット１０，２０を複数配置して構成されるユニット式建物１における吹抜け補強構造であって、互いに隣接配置されるとともに隣接部の上梁が省略された一対の下階建物ユニット１０Ｂと、これらの各下階建物ユニットの上側に配置されるとともに隣接部の下梁が省略された一対の上階建物ユニット２０Ｂとで形成される吹抜け部５に配置される補強部材３０，４０を備え、前記補強部材は、略水平面内に延びる板状部３１，４１を有して形成され、前記一対の下階建物ユニットにおける前記省略された上梁と対向する第１上梁１２Ａに当該補強部材の両端部が結合されるとともに、前記省略された上梁と交差する一方の第２上梁１２Ｂに沿って当該補強部材の一側端縁が配置されるか、または、前記一対の上階建物ユニットにおける前記省略された下梁と対向する第１下梁２３に当該補強部材の両端部が結合されるとともに、前記省略された下梁と交差する一方の第２下梁２３に沿って当該補強部材の一側端縁が配置されることを特徴とするものでもよい。
【０００８】
この発明によれば、補強部材の一側端縁を一方の第２上梁または一方の第２下梁に沿って配置したので、吹抜け部の中央部分を横断する補強梁が不要になり、障害物がなく連続した広い空間としての吹抜け部を形成することができ、吹抜け部の開放感および意匠性を向上させることができる。
さらに、補強部材を略水平面内に延びる板状部を有して形成するとともに、その両端部を下階建物ユニットの第１上梁または上階建物ユニットの第１下梁に結合したので、水平面内での高い剛性により建物ユニットを補強することができ、吹抜け部における天井や床が省略されていても、ユニット式建物全体の剛性や強度を確保することができる。
また、下階建物ユニットおよび上階建物ユニットをそれぞれ一対で隣接させ、これらの隣接部の上梁および下梁を省略して吹抜け部を形成した場合には、吹抜け空間をより広く開放的にすることができるとともに、隣接した一対の下階建物ユニットや上階建物ユニットに跨る補強部材によって、建物ユニットを確実に補強することができる。
【０００９】
この際、本発明の吹抜け補強構造では、前記補強部材は、前記第２上梁または前記第２下梁に沿った端縁と反対側の前記板状部の端縁に略鉛直に折れ曲がった補強片３２，４２を有して形成されていることが好ましい。
この構成によれば、板状部の端縁に略鉛直に折れ曲がったリブ状の補強片を設けたことで、板状部の水平面内剛性に加えて面外方向の曲げ剛性を高めることができ、補強効果を向上させることができる。
【００１０】
さらに、本発明の吹抜け補強構造では、前記補強部材は、前記第２上梁または前記第２下梁に沿った端縁の側に前記柱と接合する接合片３４を有して形成されていることが好ましい。
この構成によれば、接合片を建物ユニットの柱に接合することで、建物ユニットと補強部材との一体性を高め、ユニット式建物全体の剛性や強度を向上させることができる。
【００１１】
また、本発明の吹抜け補強構造では、前記補強部材は、前記第２上梁または前記第２下梁に沿った側の前記板状部の端縁に略鉛直に折れ曲がった第２補強片３３を有して形成され、前記第２補強片は、前記第２上梁と、この第２上梁側に隣接して配置される下階建物ユニット１０Ａの上梁１２とで挟持されるか、または、前記第２下梁と、この第２下梁側に隣接して配置される上階建物ユニット２０Ａの下梁２３とで挟持されていることが好ましい。
この構成によれば、板状部における第２上梁または第２下梁側の端縁に略鉛直に折れ曲がったリブ状の第２補強片を設けたことで、板状部の面外方向の剛性をより一層高めることができるとともに、第２補強片を隣接する上梁同士または下梁同士の間に挟持することで、建物ユニットと補強部材との一体性を一層高めることができる。
【００１２】
また、本発明の吹抜け補強構造では、前記補強部材の板状部は、前記下階ユニットの上梁１２と前記上階ユニットの下梁２３とで挟持されていることが好ましい。
この構成によれば、板状部を上下階の建物ユニットの上梁と下梁との間に挟持することで、上下階の建物ユニットと補強部材との一体性も高めて建物全体の補強効果を一層向上させることができる。
【００１３】
また、本発明の吹抜け補強構造では、前記補強部材は、前記下階建物ユニットの上方から前記第２上梁に当該補強部材の一側端縁を沿わせて配置されるとともに、前記第１上梁に当該補強部材の両端部が結合されることが好ましい。
この構成によれば、下階建物ユニットを建設現場に設置した後に、その上方から補強部材を設置して両端部を第１上梁に結合することで、補強部材の設置作業や結合作業が容易になり、施工性を向上させることができる。すなわち、補強部材を複数の建物ユニットに跨って配置するような場合であっても、複数の下階建物ユニットを配置してから補強部材を設置すれば容易に作業が実施でき、また複数の上階建物ユニットの下部に補強部材を取り付ける場合と比較しても、設置作業を格段に容易化することができる。
【発明を実施するための最良の形態】
【００１４】
以下、本発明の実施形態を図面に基づいて説明する。ここで、各実施形態の説明において同一構成要素は同一符号を付して説明を省略する。
図１から図６には、本発明の第１実施形態に係る吹抜け補強構造を適用したユニット式建物が示されている。
図１は、本実施形態のユニット式建物１を示す断面図であり、主に構造体を示す断面図である。図２は、ユニット式建物１の下階建物ユニット１０を示す平面図である。図３は、ユニット式建物１における吹抜け部を構成する建物ユニットを示す斜視図である。図４は、吹抜け部における吹抜け補強構造を示す斜視図である。図５および図６は、それぞれ吹抜け補強構造を拡大して示す断面図である。
【００１５】
図１および図２において、ユニット式建物１は、基礎２の上に設けられた複数（６個）の下階建物ユニット１０と、これらの下階建物ユニット１０の上に設けられた複数（６個）の上階建物ユニット２０と、上階建物ユニット２０の上に設けられた屋根３とを備えて構成されている。そして、下階建物ユニット１０は、その４本の柱１１の下方においてアンカーボルト（図示せず）を介して基礎２に締結されている。これらの下階建物ユニット１０および上階建物ユニット２０は、それぞれ四隅に立設された４本の柱１１，２１と、これらの柱１１，２１の上端間同士を結合する４本の上梁１２，２２と、柱１１，２１の下端間同士を結合する４本の下梁１３，２３と、から略直方体状に形成された骨組み１４，２４を有する各４つの標準建物ユニット１０Ａ，２０Ａと、この標準建物ユニット１０Ａの骨組み１４から１本の上梁１２を省略した２つの吹抜け用下階建物ユニット１０Ｂと、これらの吹抜け用下階建物ユニット１０Ｂの上側に配置され標準建物ユニット２０Ａの骨組み２４から１本の下梁２３を省略した２つの吹抜け用上階建物ユニット２０Ｂから構成されている。
【００１６】
標準建物ユニット１０Ａ，２０Ａの骨組み１４，２４には、それぞれ長辺方向の上梁１２，２２間の天井小梁に支持された天井面材（図示略）や、長辺方向の下梁１３，２３間の根太に支持された床面材（図示略）、内壁、外壁、サッシ窓、その他の艤装部材等が予め工場で取り付けられている。一方、吹抜け用下階建物ユニット１０Ｂの骨組み１４には、長辺方向の下梁１３間の根太に支持された床面材や、内壁、外壁、サッシ窓、その他の艤装部材等が予め工場で取り付けられているものの、天井小梁や天井面材が取り付けられておらず、上方に開放されている。また、吹抜け用上階建物ユニット２０Ｂの骨組み２４には、それぞれ長辺方向の上梁２２間の天井小梁に支持された天井面材や、内壁、外壁、サッシ窓、その他の艤装部材等が予め工場で取り付けられているものの、根太や床面材が取り付けられておらず、下方に開放されている。以上のような一対の吹抜け用下階建物ユニット１０Ｂを互いの省略した上梁側が対向するように隣接配置し、それらの上側に一対の吹抜け用上階建物ユニット２０Ｂを互いの省略した下梁側が対向するように隣接配置することで、下階から上階まで連通する吹抜け空間（吹抜け部）５が形成され、この吹抜け部には、吹抜け補強構造を構成する補強部材３０，４０が配置されるている。
【００１７】
次に、図３〜図６をも参照し、ユニット式建物１における吹抜け補強構造を説明する。
補強部材３０，４０は、それぞれ吹抜け空間５を形成する一対の吹抜け用下階建物ユニット１０Ｂに跨って設けられており、補強部材３０は、吹抜け用下階建物ユニット１０Ｂに隣接配置される下階の標準建物ユニット１０Ａ側（屋内側）に配置され、補強部材４０は、吹抜け空間５における外壁側（屋外側）に配置されている。これらの補強部材３０，４０は、それぞれ略水平面内に延びる板状部３１，４１を有して形成されるとともに、その両端部が吹抜け用下階建物ユニット１０Ｂにおける省略された上梁と対向する第１上梁１２Ａ（図２中、左右に延びる長辺方向の上梁１２）に結合され、かつ当該補強部材３０，４０の一側端縁が省略された上梁と交差する一方の第２上梁１２Ｂ（図２中、上下に延びる短辺方向の上梁１２）に沿って配置されている。そして、補強部材３０，４０の板状部３１，４１は、吹抜け用下階建物ユニット１０Ｂの上梁１２と、吹抜け用上階建物ユニット２０Ｂの下梁２３との間に挟持されるようになっている。
【００１８】
補強部材３０は、図４、図５に示すように、第２上梁１２Ｂに沿った端縁と反対側の板状部３１の端縁から略鉛直下方に折れ曲がった補強片（第１補強片）３２と、第２上梁１２Ｂに沿った側の板状部３１の端縁（一側端縁）から略鉛直下方に折れ曲がった第２補強片３３と、第２上梁１２Ｂに沿った側の板状部３１の端縁（一側端縁）から隣接する標準建物ユニット１０Ａ側に突出した３箇所の接合片３４とを有して形成されている。補強片（第１および第２補強片）３２，３３は、それぞれ上梁１２と略同一高さ寸法を有した角パイプ（あるいは、溝形鋼やＩ形鋼、Ｌ形鋼など）から形成されており、第１補強片３２の長手方向左右両端部が、第１上梁１２Ａに固定したブラケット１２１にボルトナット接合で結合され、第２補強片３３が、第２上梁１２Ｂと隣接する標準建物ユニット１０Ａの上梁１２とで挟持されるようになっている。
【００１９】
また、補強部材３０の板状部３１には、吹抜け用下階建物ユニット１０Ｂおよび吹抜け用上階建物ユニット２０Ｂの柱１１，２１に対応した位置にボルト孔が形成されており、これらのボルト孔を介したボルトナット接合により、吹抜け用下階建物ユニット１０Ｂの柱１１上端部と吹抜け用上階建物ユニット２０Ｂの柱２１下端部とが接合されている。さらに、接合片３４には、隣接する標準建物ユニット１０Ａ，２０Ａの柱１１，２１に対応した位置にボルト孔が形成されており、これらのボルト孔を介したボルトナット接合により、上下階の標準建物ユニット１０Ａ，２０Ａの柱１１，２１同士が接合されるようになっている。なお、補強部材３０が設置されない位置における標準建物ユニット１０Ａ，２０Ａの柱１１，２１同士は、図示しない接合プレート（シアープレート）を介してボルトナット接合により接合されるようになっている。
【００２０】
補強部材４０は、図６に示すように、第２上梁１２Ｂに沿った端縁と反対側の板状部４１の端縁から略鉛直下方に折れ曲がった補強片（第１補強片）４２を有して形成されている。補強片４２は、上梁１２と略同一高さ寸法を有した角パイプから形成されており、補強片４２の長手方向左右両端部が、第１上梁１２Ａに固定したブラケット１２１にボルトナット接合で結合されている。また、補強部材４０の板状部４１には、吹抜け用下階建物ユニット１０Ｂおよび吹抜け用上階建物ユニット２０Ｂの柱１１，２１に対応した位置にボルト孔が形成されており、これらのボルト孔を介したボルトナット接合により、吹抜け用下階建物ユニット１０Ｂの柱１１上端部と吹抜け用上階建物ユニット２０Ｂの柱２１下端部とが接合されるようになっている。
【００２１】
以上の補強部材３０，４０は、それぞれ下階建物ユニット１０（標準建物ユニット１０Ａおよび吹抜け用下階建物ユニット１０Ｂを基礎２上に設置した後に吹抜け用下階建物ユニット１０Ｂの上方から設置されるようになっており、各補強部材３０，４０の一側端縁を吹抜け用下階建物ユニット１０Ｂの第２上梁１２Ｂに沿わせて配置してから、補強片３２，４２の両端部を第１上梁１２Ａのブラケット１２１に接合する固定されるようになっている。その後に、下階建物ユニット１０の上側に上階建物ユニット２０（標準建物ユニット２０Ａおよび吹抜け用上階建物ユニット２０Ｂ）を載置し、その柱２１下端部を補強部材３０の板状部３１および接合片３４、接合プレートを介して下階建物ユニット１０の柱１１上端部に接合することで、上階建物ユニット２０と下階建物ユニット１０とが結合されるようになっている。
【００２２】
以上のような実施形態によれば以下の効果がある。
（１）補強部材３０，４０が吹抜け空間５の端部に設置され、補強部材３０，４０の一側端縁が吹抜け用下階建物ユニット１０Ｂの第２上梁１２Ｂに沿って配置されているので、中央に障害物がなく連続した広い吹抜け空間５を形成することができ、吹抜け空間５の開放感および意匠性を向上させることができる。
【００２３】
（２）さらに、吹抜け用下階建物ユニット１０Ｂおよび吹抜け用上階建物ユニット２０Ｂがそれぞれ一対で隣接配置され、これらの隣接部の上梁および下梁を省略して吹抜け空間５が形成されているので、より広く開放的な吹抜け空間５を形成することができるとともに、隣接した一対の吹抜け用下階建物ユニット１０Ｂに跨る補強部材３０，４０によって、各建物ユニットを確実に補強することができる。
【００２４】
（３）また、補強部材３０，４０が略水平面内に延びる板状部３１，４１を有して形成されているので、水平面内での高い剛性により建物ユニットを補強することができ、吹抜け空間５における天井や床が省略されていても、ユニット式建物１全体の剛性や強度を確保することができる。
【００２５】
（４）さらに、補強部材３０に第１および第２補強片３２，３３が設けられ、補強部材４０に補強片４２が設けられているので、板状部３１，４１の水平面内剛性に加えて補強部材３０，４０の面外方向の曲げ剛性を高めることができ、補強効果を向上させることができる。また、補強部材３０の第２補強片３３が隣接する下階建物ユニット１０の上梁１２同士の間に挟持されているので、下階建物ユニット１０と補強部材３０との一体性を向上させることができる。
【００２６】
（５）また、補強部材３０，４０の板状部３１，４１および補強部材３０の接合片３４を介して上下階の建物ユニット１０，２０の柱１１，２１同士が接合されているので、建物ユニット１０，２０と補強部材３０，４０との一体性を高めることができるとともに、ユニット式建物１全体の剛性や強度をさらに向上させることができる。さらに、板状部３１，４１が上下階の建物ユニット１０，２０の上梁１２と下梁２３との間に挟持されているので、上下階の建物ユニット１０，２０と補強部材３０，４０との一体性をより高めることができる。
【００２７】
（６）また、下階建物ユニット１０を建設現場に設置した後に、その上方から補強部材３０，４０を設置し、それらの両端部を吹抜け用下階建物ユニット１０Ｂの第１上梁１２Ａに結合することで、補強部材３０，４０の設置作業や結合作業が容易になり、施工性を向上させることができる。
【００２８】
次に、本発明の第２実施形態を図７および図８に基づいて説明する。
第２実施形態は、補強部材の設置位置が第１実施形態と相違するもので、他の構成は第１実施形態と同じである。
図７および図８は、それぞれ第２実施形態に係るユニット式建物１Ａ，１Ｂの下階建物ユニット１０を示す平面図である。
図７において、ユニット式建物１Ａは、第１実施形態における補強部材４０と同一の補強部材４０が吹抜け空間５に設置され、第１実施形態の補強部材３０が省略されたものである。
なお、図７においては、第１実施形態の補強部材３０を省略した形態について説明したが、ユニット式建物１Ａとしては、第１実施形態における補強部材３０と同一の補強部材を吹抜け空間５に設置し、第１実施形態の補強部材４０が省略した形態であってもよい。
【００２９】
図８において、ユニット式建物１Ｂは、第１実施形態における補強部材４０と略同一の補強部材４０Ａ，４０Ｂが平面Ｌ字形に吹抜け空間５の屋外側の二側端部に設置され、第１実施形態の補強部材３０が省略されたものである。
すなわち、補強部材４０Ａ，４０Ｂは、Ｌ字形の交差部において、板状部４１同士が一体的に結合されるとともに、補強片４２同士が十字形に交差接合されている。そして、補強部材４０Ａは、その両端部が一対の吹抜け用下階建物ユニット１０Ｂにおける省略された上梁と対向する第１上梁１２Ａ（図８中、左右に延びる長辺方向の上梁１２）に結合され、かつ当該補強部材４０Ａの一側端縁が省略された上梁と交差する一方（屋外側）の第２上梁１２Ｂ（図８中、上下に延びる短辺方向の上梁１２）に沿って配置されている。一方、補強部材４０Ｂは、その両端部が一方（図８中、下側）の吹抜け用下階建物ユニット１０Ｂにおける第１上梁１２Ｃ（図８中、上下に延びる短辺方向の上梁１２）に結合され、かつ当該補強部材４０Ｂの一側端縁が第２上梁１２Ｄ（図８中、左右に延びる長辺方向の上梁１２）に沿って配置されている。つまり、補強部材４０Ａ，４０ＢがＬ字形に配置される場合には、吹抜け用下階建物ユニット１０Ｂにおける上梁１２は、一方の補強部材４０Ａに対する第１上梁１２Ａとなり、かつ他方の補強部材４０Ｂに対する第２上梁１２Ｄともなるとともに、一方の補強部材４０Ａに対する第２上梁１２Ｂとなり、かつ他方の補強部材４０Ｂに対する第１上梁１２Ｃともなり得る。
【００３０】
なお、本発明は前述の実施形態に限定されるものではなく、本発明の目的を達成できる範囲での変形、改良等は本発明に含まれるものである。
例えば、前記実施形態では、吹抜け用下階建物ユニット１０Ｂおよび吹抜け用上階建物ユニット２０Ｂがそれぞれ一対で隣接配置され、これらの隣接部の上梁および下梁を省略して吹抜け空間５が形成されていたが、これに限らず、上梁１２が省略されずに天井が省略された１つの吹抜け用下階建物ユニットと、下梁２３が省略されずに床が省略された１つの吹抜け用上階建物ユニットとで吹抜け部が形成されていてもよい。この場合には、吹抜け用下階建物ユニット（または、吹抜け用上階建物ユニット）の短辺方向の上梁１２（下梁２３）を第１上梁（第１下梁）とし、長辺方向の上梁１２（下梁２３）を第２上梁（第２下梁）として、補強部材を設置すればよい。
【００３１】
また、前記実施形態では、吹抜け用下階建物ユニット１０Ｂおよび吹抜け用上階建物ユニット２０Ｂをそれぞれ２つずつ隣接配置して吹抜け空間を形成したが、３つ以上の吹抜け用下階建物ユニットおよび吹抜け用上階建物ユニットを隣接配置して吹抜け空間を形成してもよい。この場合には、中間に位置する吹抜け用下階建物ユニット（または、吹抜け用上階建物ユニット）の両側の隣接部分において、対向する２本の上梁（下梁）を省略することで、連続した広い吹抜け空間が形成できるようになる。
さらに、前記実施形態では、吹抜け用下階建物ユニット１０Ｂに補強部材３０，４０，４０Ａ，４０Ｂを設置したが、これに限らず、補強部材を吹抜け用上階建物ユニット２０Ｂに設置してもよい。この場合には、第１や第２の補強片３２，３３，４２を板状部３１，４１の端縁から略鉛直上方に折れ曲げて形成すればよい。そして、第２補強片が吹抜け用上階建物ユニット２０Ｂの第２下梁と隣接する標準建物ユニット２０Ａの下梁２３との間に挟持されるように構成すればよい。
【産業上の利用可能性】
【００３２】
本発明は、住宅等の建物や、店舗等の建物に利用できる。
【図面の簡単な説明】
【００３３】
【図１】本発明の第１実施形態に係る吹抜け補強構造を適用したユニット式建物を示す断面図である。
【図２】前記ユニット式建物の下階建物ユニットを示す平面図である。
【図３】前記ユニット式建物における吹抜け部を構成する建物ユニットを示す斜視図である。
【図４】前記吹抜け部における吹抜け補強構造を示す斜視図である。
【図５】前記吹抜け補強構造を拡大して示す断面図である。
【図６】前記吹抜け補強構造を拡大して示す断面図である。
【図７】本発明の第２実施形態に係るユニット式建物の下階建物ユニットを示す平面図である。
【図８】前記第２実施形態における他の構成の下階建物ユニットを示す平面図である。
【符号の説明】
【００３４】
１        ユニット式建物
５        吹抜け空間（吹抜け部）
１０        下階建物ユニット
１０Ｂ      吹抜け用下階建物ユニット
２０        上階建物ユニット
２０Ｂ      吹抜け用上階建物ユニット
１１，２１  柱
１２，２２  上梁
１２Ａ，１２Ｃ  第１上梁
１２Ｂ，１２Ｄ  第２上梁
１３，２３  下梁
１４，２４  骨組み
３０，４０，４０Ａ，４０Ｂ  補強部材
３１，４１  板状部
３２，４２  補強片（第１補強片）
３３        第２補強片
３４        接合片。
【図１】
2007308957.tif 000003
【図２】
2007308957.tif 000004
【図３】
2007308957.tif 000005
【図４】
2007308957.tif 000006
【図５】
2007308957.tif 000007
【図６】
2007308957.tif 000008
【図７】
2007308957.tif 000009
【図８】
2007308957.tif 000010